(57)【要約】【課題】  端末装置において、例えば表示されている情報を検討したり或いは窓口業務でお客様対応をしたりなどにより入力動作が途切れてしまうような場合には端末利用中でも画面情報表示が抑制されたり或いはスクリーンセーバーが起動してしまい、検討作業が中断されたり或いは作業に戻るために無意味な入力作業をしなければならず、操作者に不要な負担を強いることになっていた。【解決手段】  センサ装置２は、赤外線を用いた反射型の人体感知用の赤外線センサであり、操作者３の感知の有無を端末装置１の通信部１２に信号として送る。制御プログラム１１１は通信部１２から感知情報を取得し、操作者３を感知している場合は表示抑制或いはスクリーンセーバー起動の機能発動を担うＯＳその他ソフトウェア群１１に対し発動を抑えるよう要求する。【選択図】  図１
2007034245.tif 000002
【特許請求の範囲】
【請求項１】
操作者が入力操作を中断している状態でも操作者の存在を感知して表示抑制或いはスクリーンセーバー起動を防ぐことを特徴とする在席感知による表示内容制御方式。
【請求項２】
端末近傍に操作者がいることを感知して感知信号を出力するセンサ部と、前記センサ部から感知信号が操作者を感知していることを意味するときは表示抑制或いはスクリーンセーバー起動を行わせないよう制御するプログラムからなることを特徴とする請求項１記載の在席感知による表示内容制御方式。
【請求項３】
前記センサ部が赤外線を利用して人体を検出する赤外線センサで構成されていることを特徴とする請求項２記載の在席感知による表示内容制御方式。
【請求項４】
前記センサ部が超音波を利用して人体を検出する超音波センサで構成されていることを特徴とする請求項２記載の在席感知による表示内容制御方式。
【発明の詳細な説明】
【技術分野】
【０００１】  本発明は、表示手段を持つ端末装置に於いて、端末装置の操作者の存在を感知し表示装置への表示内容を制御するための、在席感知装置及び在席感知装置の制御プログラムに関する。
【背景技術】
【０００２】  従来、パーソナルコンピュータ／携帯情報端末機器／金融機関におけるＡＴＭ等の入力手段及び表示手段を備える端末装置では、キーボード或いはマウスなど標準的な情報入力手段に対し一定時間入力動作が無いときには、表示装置への表示を抑制するか、或いは一般にスクリーンセーバーと呼ばれる画面表示が為されている。これは陰極線管による表示装置が主流の時は表示装置の焼付け防止を主目的としていたが、陰極線管の性能が向上し、また焼付けの心配をほとんどしなくてもよい液晶ディスプレイが広まるにつれ、操作者が不在の間に第三者に画面情報を読み取られるのを防ぐことが主目的になりつつある。【０００３】  一般に表示抑制或いはスクリーンセーバー起動までの時間は可変に設定可能である。操作者不在時の情報隠蔽を目的とする場合はその時間は十数秒〜数十秒程度と短く設定されている場合が多く、個人の業務内容その他に関係なく組織単位で統一的に設定している場合もある。ここで例えば表示されている情報を検討したり或いは窓口業務でお客様対応をしたりなどにより入力動作が途切れてしまうような場合には端末利用中でも画面情報表示が抑制されたり或いはスクリーンセーバーが起動してしまい、検討作業が中断されたり或いは作業に戻るために無意味な入力作業をしなければならず、操作者に不要な負担を強いることになっていた。またそのような事態を避けようと、表示抑制或いはスクリーンセーバー起動までの時間を長く設定すると、情報漏洩の可能性が増してしまうという問題点があった。【０００４】  従来の端末装置では、表示装置にセンサを組込むことにより操作者の有無の検出を行うようにしたものがある（例えば、特許文献１参照。）。この特許による装置を用いれば操作者の存否をきっかけとした画面表示抑制を可能とすることができる。【０００５】
【特許文献１】  特許公開平１０−９７２３３号広報
【発明の開示】
【発明が解決しようとする課題】
【０００６】  上述の通り、従来技術にある表示装置にセンサを組込む発明により、操作者の存否による両面表示抑制は可能になるが、これは端末装置本体と情報のやり取りを行うことができないため、端末装置側で操作者の存否を確認できずまた表示抑制時の画面内容を制御することができなかった。また表示装置にセンサを組込むと外観上も一般的な表示装置とは変化し区別されてしまうことになり、製品外枠成型用のいわゆる金型を、比較的大きい表示装置外枠に別途用意しなければならず、製造費用の面で不利になってしまう。【０００７】  本発明は、これらの点を考慮し、操作者に不要な負担を強いる表示抑制或いはスクリーンセーバー起動を防ぐことを、既存の端末装置システムに付加的に設置する在席感知装置及びその制御プログラムにより実現させることについて為されたものである。
【課題を解決するための手段】
【０００８】  請求項１の在席感知による表示内容制御方式は、操作者が入力操作を中断している状態でも操作者の存在を感知して表示抑制或いはスクリーンセーバー起動を防ぐことを特徴としている。【０００９】  請求項２の在席感知による表示内容制御方式は、請求項１記載の在席感知による表示内容制御方式において、端末近傍に操作者がいることを感知して感知信号を出力するセンサ部と、前記センサ部から感知信号が操作者を感知していることを意味するときは表示抑制或いはスクリーンセーバー起動を行わせないよう制御するプログラムからなることを特徴としている。【００１０】  請求項３の在席感知による表示内容制御方式は、請求項２記載の在席感知による表示内容制御方式において、前記センサ部が赤外線を利用して人体を検出する赤外線センサで構成されていることを特徴としている。【００１１】  請求項４の在席感知による表示内容制御方式は、請求項２記載の在席感知による表示内容制御方式において、前記センサ部が超音波を利用して人体を検出する超音波センサで構成されていることを特徴としている。
【発明の効果】
【００１２】  以上説明したように、本発明の在席感知による表示内容制御方式は、操作者の存在の有無を検出する操作者検出手段を備え、センサ部は小型で廉価で製造可能であり、操作者が存在している場合は表示抑制或いはスクリーンセーバー起動となってしまう事態を防ぐことで、操作者に不都合な画面表示変更を行わなくさせることができ、本来の作業に不要な画面復帰のための挙動を無くすことができ、このことにより表示抑制或いはスクリーンセーバー起動までの時間を短い時間とするよう設定できるため省電力化及び機密保護の本来の機能を有効に発揮できる効果がある。
【発明を実施するための最良の形態】
【００１３】  次に、本発明の実施の形態について図面を参照して説明する。【００１４】  図１は本発明の実施形態の構成を示すブロック図である。【００１５】  図１に示す本実施形態の在席感知による表示内容制御方式は、オペレーティングシステム（以下ＯＳと称す）その他ソフトウェア群１１と、センサ装置２からの感知通知を受け取る通信部１２とを備える端末装置１と、センサ装置２とから構成される。操作者３が存在することをセンサ装置２で感知し、端末装置１が表示装置４への表示内容を抑制或いはスクリーンセーバー画面とすることを抑える。【００１６】端末装置１は、本発明に掛かる制御プログラム１１１を含むＯＳその他ソフトウェア群１１と、センサ装置２からの感知通知を受け取る通信部１２とを備える。【００１７】センサ装置２は、赤外線を用いた反射型の人体検知用の赤外線センサであり、赤外線を出力する発光部２１と、操作者３で反射された赤外線を受信検出する受光部２２とで構成されており、操作者３の感知の有無を端末装置１の通信部１２に信号として送る。信号の送信には、例えばＵＳＢ（Ｕｎｉｖｅｒｓａｌ  Ｓｅｒｉａｌ  Ｂｕｓ）やＲＳ−２３２Ｃ（Ｒｅｃｏｍｍｅｎｄｅｄ  Ｓｔａｎｄａｒｄ  ２３２  Ｖｅｒｓｉｏｎ  Ｃ）を用いることができる。【００１８】  制御プログラム１１１は間歇的に通信部１２から感知情報を取得する。【００１９】  制御プログラム１１１は通信部１２から感知情報を取得し、操作者３を感知している場合は表示抑制或いはスクリーンセーバー起動の機能発動を担うＯＳその他ソフトウェア群１１に対し発動を抑えるよう要求する。要求の方法はＯＳにより異なる。例えばマイクロソフト株式会社製Ｗｉｎｄｏｗｓの場合は、機能発動時にＯＳより送られてくるメッセージを処理するか、或いは機能発動までの時間を計時しているカウンタをクリアする要求を発行することで、機能の発動を抑えることができる。【００２０】  制御プログラム１１１は通信部１２から感知情報を取得し、操作者３を感知していない場合は、間歇的に次に通信部１２から感知情報を取得するまでは何もしない。【００２１】  離席などにより操作者３が不在となり、表示抑制或いはスクリーンセーバー起動されているような場合、操作者３が戻ってきたとき、制御プログラム１１１は通信部１２から操作者３を感知した情報を得て、ＯＳその他ソフトウェア群１１に対し画面表示を戻すよう要求する。これにより操作者３が特別の動作を行わなくとも画面表示が復旧し、離席により中断した作業を継続することができる。
【図面の簡単な説明】
【００２２】
【図１】本発明の実施形態の構成を示すブロック図である。
【００２３】
【符号の説明】
１      端末装置
２      センサ装置
３      操作者
４      表示装置
１１    ＯＳその他ソフトウェア群
１２    通信部
２１    発光部
２２    受光部
１１１  制御プログラム
【図１】
2007034245.tif 000003